(57)【特許請求の範囲】
【請求項１】
車体側に非回転に支持される外輪部材と、この外輪部材に車両アウタ側列および車両インナ側列の転動体を介して軸心回りに回転自在に支持された内輪部材とを備え、この内輪部材が、外周面が車両アウタ側列の転動体の内輪軌道面とされて、車輪を取付けるための取付けフランジを有する筒状内輪部材と、外周面が車両インナ側列の転動体の内輪軌道面とされるとともに、前記筒状内輪部材の中心穴に挿通する軸部を介して筒状内輪部材と回転一体に組付けられる等速自在継手の椀形外輪部材とから構成された車両用転がり軸受装置であって、
前記軸部の内周面の、少なくとも前記各列の転動体間の径方向の中心線と車両インナ側列の転動体の接触角延長線とで囲まれる範囲内に、前記転動体から伝えられる負荷荷重を支持するための径方向に沿った支持部材が設けられ、前記軸部における支持部材の少なくとも車両アウタ側が中空断面とされ、
前記支持部材は、軸部の内周面側の基部から径方向の中心部である軸心に近づくに従って順次軸心方向の幅が狭くなるよう形成され、車両アウタ側の中心部の軸心方向位置が前記各列の転動体間の径方向の中心線よりも車両インナ側にあることを特徴とする車両用転がり軸受装置。
【請求項２】
前記支持部材が軸部の内周面に一体的に形成されていることを特徴とする請求項１に記載の車両用転がり軸受装置。
【請求項３】
前記支持部材が前記軸部とは別部材で構成されていることを特徴とする請求項１に記載の車両用転がり軸受装置。
【発明の詳細な説明】
【０００１】
【発明の属する技術分野】
本発明は、車両用転がり軸受装置に関する。
【０００２】
【従来の技術】
従来の車両用転がり軸受装置を図３に示す。これは、車体側にナックル６０を介して非回転に組込まれる外輪部材６１と、この外輪部材６１に２列の玉６２，６３を介して軸心６４回りに回転自在に支持される内輪部材６５とを備えている。
【０００３】
この内輪部材６５は、外周面が一方列（車両アウタ側）の玉６２の内輪軌道面として用いられるとともに、外周面途中に径方向外向きに突出して車輪（ブレーキディスクロータおよびタイヤホイール）を取付けるためのハブフランジ６６を有するハブホイール６７と、このハブホイール６７の中心穴にスプライン嵌合する軸部６８を一体に形成した等速ジョイント６９の椀形外輪部材７０とから構成されている。この椀形外輪部材７０の外周面が他方列（車両インナ側）の玉６３の内輪軌道面として用いられている。
【０００４】
また、前記軸部６８は軽量化のために中空断面に形成され、椀形外輪部材７０の椀形部７１と軸部６８との間には、椀形部７１内部の潤滑剤が外部に漏れるのを防止するための蓋部材７２が嵌着されている。
【０００５】
【発明が解決しようとする課題】
上記従来の車両用転がり軸受装置において、玉６２，６３、特に他方列の玉６３に働く荷重は大きい。このため椀形外輪部材７０には大きな荷重が働くことになるが、上述のように軸部６８は軽量化のために中空断面に形成されている。従って、車両の走行に伴なって、軸部６８に歪が生じるおそれがあった。
【０００６】
そこで本発明は、上記課題を解決し得る車両用転がり軸受装置の提供を目的とする。
【０００７】
【課題を解決するための手段】
本発明における課題解決手段は、車体側に非回転に支持される外輪部材と、この外輪部材に車両アウタ側列および車両インナ側列の転動体を介して軸心回りに回転自在に支持された内輪部材とを備え、この内輪部材が、外周面が車両アウタ側列の転動体の内輪軌道面とされて、車輪を取付けるための取付けフランジを有する筒状内輪部材と、外周面が車両インナ側列の転動体の内輪軌道面とされるとともに、前記筒状内輪部材の中心穴に挿通する軸部を介して筒状内輪部材と回転一体に組付けられる等速自在継手の椀形外輪部材とから構成された車両用転がり軸受装置であって、前記軸部の内周面の、少なくとも前記各列の転動体間の径方向の中心線と車両インナ側列の転動体の接触角延長線とで囲まれる範囲内に、前記転動体から伝えられる負荷荷重を支持するための径方向に沿った支持部材が設けられ、前記軸部における支持部材の少なくとも車両アウタ側が中空断面とされ、前記支持部材は、軸部の内周面側の基部から径方向の中心部である軸心に近づくに従って順次軸心方向の幅が狭くなるよう形成され、車両アウタ側の中心部の軸心方向位置が前記各列の転動体間の径方向の中心線よりも車両インナ側にある。
【０００８】
このように、軸部の内周面の、各列の転動体間の径方向の中心線と、車両インナ側列の転動体の接触角延長線とで囲まれる範囲内に、径方向に沿った支持部材を設け、軸部における支持部材の少なくとも車両アウタ側を中空断面としたことによれば、軸部の重量を特別に大きくすることがないとともに転動体から伝わる荷重負荷を支持部材で受けて軸部の歪変形を防止することができる。
【０００９】
また、前記支持部材が軸部の内周面に一体的に形成されていることによれば、転動体から伝わる荷重負荷を支持するために特別な部材を設ける必要がない。
また、本発明の請求項１に係る車両用転がり軸受装置において、好ましくは、前記支持部材が前記軸部とは別部材で構成されている。
【００１０】
【発明の実施の形態】
以下、図面に基づいて本発明の実施の形態に係る車両用転がり軸受装置を説明する。図１は本発明の第一の実施形態に係る車両用転がり軸受装置の全体構成を示す断面図である。
【００１１】
この車両用転がり軸受装置１は、車体側に非回転に組込まれる外輪部材２と、この外輪部材２に、冠形保持器（符号省略）によって円周方向等配位置にそれぞれ保持された２列の玉（転動体の一例）３，４を介して軸心５回りに回転自在に支持される内輪部材６とを備えている。
【００１２】
前記外輪部材２の外周面途中には、径方向外向きに突出する支持フランジ２１が形成され、この支持フランジ２１が車体側に組込まれたナックルに結合されることで外輪部材２が車体に非回転に支持される。
【００１３】
前記内輪部材６は、外周面が一方列（車両アウタ側）の玉３の内輪軌道面として用いられるハブホイール（筒状内輪部材）８と、このハブホイール８の中心穴にスプライン２５を介して挿通する軸部９を椀形部１０ａの車両アウタ側に一体形成した等速ジョイント（等速自在継手）Ｊの椀形外輪部材１０とから構成されている。
【００１４】
この等速ジョイントＪは、ツェッパタイプ（バーフィールド型）と呼ばれるものが用いられており、前記椀形外輪部材１０と、その内部に、駆動シャフト５０の端部を挿通固定した内輪部５１、前記ハブホイール８を駆動シャフト５０に対して傾動案内するための玉５２、およびその保持器５３を備えている。
【００１５】
前記ハブホイール８は、その外周面途中に、車輪（ブレーキディスクロータおよびタイヤホイール）を取付けるための径方向外向きに突出したハブフランジ（取付けフランジ）７が形成されている。
【００１６】
前記外輪部材２と内輪部材６の間の環状軸受空間２６を、軸心５方向両側で密封するための密封装置２７，２８が設けられ、車両インナ側の密封装置２７は、外輪部材２の内周面に嵌着された芯金２９と、この芯金２９に固定されて、椀形外輪部材１０の外周曲面に３箇所で接触するリップ部を有する弾性シール体３１とを有し、前記芯金２９の外周部は軸心５方向（車両インナ側）に延長されて延長部３２が形成され、椀形外輪部材１０の外周面に嵌着されて前記延長部３２を囲繞することで延長部３２との間でラビリンス用隙間を形成する断面コ字形の環体３３を有している。
【００１７】
車両アウタ側の密封装置２８は、外輪部材２の内周面に嵌着された芯金２９ａと、この芯金２９ａに固定されて、ハブホイール８の円筒外周面からハブフランジ７の壁面に連続する湾曲面部分に接触するリップ部を有する弾性シール体３１ａとから構成されている。
【００１８】
前記ハブホイール８の内周面には、雌スプラインが軸心５方向長さのほぼ全域に亙って形成され、この雌スプラインとほぼ同じ長さで雄スプラインが前記軸部９の外周面に形成され、この軸部９は、雌スプラインに雄スプラインが圧入されるようにしてハブホイール８に嵌合（内嵌）され、軸部９の車両アウタ側端部は径方向外向きに拡径されて、ハブホイール８の端面に対してかしめられることで、椀形外輪部材１０とハブホイール８とが軸心５回りに回転一体に連結されている。
【００１９】
前記軸部９の内方の、前記各列の玉３，４間の径方向の中心線ｐ１と他方列の玉４の接触角延長線ｐ２とで囲まれる範囲内に、玉３，４から伝わる負荷荷重を支持するための、径方向に沿った支持壁（支持部材の一例）３５が、軸部９の内周面に一体的に形成され、前記軸部９における、支持壁３５の車両アウタ側および車両インナ側は中空断面とされている（支持壁３５の車両インナ側は切削加工されている）。
【００２０】
また前記支持壁３５は、その外径側すなわち基部３５ａの幅（軸心５方向の長さ）が最も広く、軸心５に近付くに従って順次幅が狭くなるよう形成され、支持壁３５の軸心５方向の中心でかつ径方向の中心に位置する中心部３５ｂが最も狭い幅に形成されることで、車両用転がり軸受装置１の重量を増加させないような形状に形成されている。なお、この実施形態では支持壁３５の基部３５ａの車両アウタ側は、前記中心線ｐ１と接触角延長線ｐ２とで囲まれる範囲からわずかにはみ出ているが、支持壁３５の実質的な支持力に悪影響を与えることはない。
【００２１】
上記構成において、図示しない駆動力伝達軸が駆動すると、その駆動力が椀形外輪部材１０（等速ジョイントＪ）に伝達され、これに回転一体に取付けられたハブホイール８が軸心５回りに回転し、車輪が回転する。
【００２２】
ところで、このような車両用転がり軸受装置１では、両列の玉３，４のうち特に他方列の玉４に大きな負荷荷重が働く。そこで椀形外輪部材１０の軸部９を形成する際に、各列の玉３，４間の径方向の中心線ｐ１と他方列の玉４の接触角延長線ｐ２とで囲まれる範囲内に支持壁３５が残るように旋削加工する。なおこの支持壁３５は、他方列の玉４の中心を通る径方向面上にほぼ一致する。
【００２３】
このような位置に支持壁３５を形成することにより、両列の玉３，４のうち特に他方列の玉４に大きな負荷荷重が働いた場合であっても、この支持壁３５の支持力により、椀形外輪部材１０に歪が生じるのを防止することができ、玉３，４の転動を円滑に行い得る。また軸部９には支持壁３５を残してその両側は中空断面であるので、椀形外輪部材１０の重量が著しく増加するのが抑えられており、これにより内輪部材６の回転トルクを特に大きくすることもない。
【００２４】
さらにこの支持壁３５によって、椀形外輪部材１０の椀形部１０ａ内の潤滑剤が外部（車両アウタ側）に漏れるのを防止することができる。
【００２５】
次に本発明の第二の実施形態を、図２の断面図に基づいて説明する。この車両用転がり軸受装置１が、上記第一の実施形態に係る車両用転がり軸受装置１と異なる構成を説明する。上記第一の実施形態に係る車両用転がり軸受装置１では、支持壁３５は、他方列の玉４の中心を通る径方向面上にほぼ一致する位置に形成したが、本発明の第二の実施形態における車両用転がり軸受装置１では、支持壁３５の外径側の基部３５ａ、および中心部３５ｂの全てが各列の玉３，４間の径方向の中心線ｐ１と、他方列の玉４の接触角延長線ｐ２とで囲まれる範囲内に位置している点で異なる。他の構成は上記第一の実施形態と同様であるので、同一の符号を付してその説明を省略する。
【００２６】
そしてこの構成によれば、上記第一の実施形態の場合に比べて基部３５ａの幅を狭くしてあっても、支持壁３５の実質的な支持力に悪影響を与えることなく軽量化することができる。他の作用効果は上記第一の実施形態と同様であるので、その説明を省略する。
【００２７】
なお、本発明は上記実施形態に限定されるものではない。例えば、上記各実施形態では、支持壁３５は軸部９における車両インナ側および車両アウタ側の内部を旋削加工して一部を残すことで形成したが、これに限定されるものではない。すなわち、軸部９を全て中空断面に形成（切削加工）し、各列の玉３，４間の径方向の中心線ｐ１と他方列玉４の接触角延長線ｐ２とで囲まれる範囲内に、可及的に軽量で充分な支持力を有する、軸部９とは別部材の請求項１に係る構成を有する支持壁３５を軸部９に嵌着（内嵌）するようにしてもよい。この場合も上記各実施形態と同様の作用効果を奏し得る。
【００２８】
【発明の効果】
以上の説明から明らかな通り、本発明は、車体側に支持される外輪部材に車両アウタ側列および車両インナ側列の転動体を介して回転自在に支持された内輪部材を備え、内輪部材を、車両アウタ側列の転動体の内輪軌道面を有して車輪を取付けるための筒状内輪部材と、車両インナ側列の転動体の内輪軌道面を有するとともに筒状内輪部材の中心穴に挿通する軸部を介して筒状内輪部材と回転一体に組付けられる椀形外輪部材とから構成し、軸部の内周面の、各列の転動体間の径方向の中心線と車両インナ側列の転動体の接触角延長線とで囲まれる範囲内に径方向に沿った支持部材を設け、軸部における支持部材の少なくとも車両アウタ側を中空断面としたので、軸部の重量を特別に大きくすることがないとともに転動体から伝わる荷重負荷を支持部材で受けて軸部の歪変形を防止することができ、転動体の転動を長期に亙って円滑に行い得る。
【図面の簡単な説明】
【図１】  本発明の第一の実施形態を示す車両用転がり軸受装置の断面図である。
【図２】  本発明の第二の実施形態を示す車両用転がり軸受装置の断面図である。
【図３】  従来の車両用転がり軸受装置の断面図である。
【符号の説明】
１      車両用転がり軸受装置
２      外輪部材
４      玉
６      内輪部材
８      ハブホイール
９      軸部
１０    椀形外輪部材
ｐ１    各列の玉間の径方向の中心線
ｐ２    他方列の玉の接触角延長線
３５    支持壁
３５ａ  支持壁の基部
３５ｂ  支持壁の中心部
【図１】
0003991655.tif 000002
【図２】
0003991655.tif 000003
【図３】
0003991655.tif 000004